(57)【要約】【課題】  電源投入時に確実にレーザ用発光素子を動作でき、かつ、断線等が起きた場合にレーザ用発光素子を保護することができるレーザ駆動装置を提供する。【解決手段】  レーザ駆動装置は、半導体レーザブロックＡのレーザ用発光素子を点灯させる動作電流Ｉ１の通電をオン・オフする第２のパワー素子４と、前記レーザ用発光素子の発光量に応じたモニター電流Ｉ２を電流―電圧変換部３で変換して得られるモニター電圧Ｖｍｏが、最小モニター電圧Ｖｍｉｎ未満のとき、第２のパワー素子４に動作電流Ｉ１の通電をオフさせる出力停止信号Ｓ２を出力する比較部５とから構成されたモニター電圧監視回路ブロックＣを備えるとともに、モニター電圧Ｖｍｏが最小モニター電圧Ｖｍｉｎ以上となるように動作電流Ｉ１を流す回路部とを備える。【選択図】図１
2005142449.tif 000002
【特許請求の範囲】
【請求項１】
レーザ用発光素子、及びこのレーザ用発光素子の発光を受光して発光量に応じた電流を出力する受光素子とからなる半導体レーザブロックと、前記レーザ用発光素子と直列に接続され、前記レーザ用発光素子を発光させる動作電流を通電する第１のパワー素子、及び前記受光素子からの電流を電圧に変換する電流―電圧変換部、並びにこの電流―電圧変換部で変換された電圧と予め規定された基準電圧とが一致するように、前記第１のパワー素子を制御する制御信号を出力する光量制御素子部とから構成されたレーザ駆動制御回路ブロックと、前記第１のパワー素子と直列に接続され、前記第１のパワー素子を経た前記動作電流の通電をオン・オフする第２のパワー素子、及び前記電流―電圧変換部で変換された電圧と、前記受光素子から出力される電流の通電路が断線しているか否かの判断基準となる最小モニター電圧とを比較し、前記電流―電圧変換部で変換された電圧が前記最小モニター電圧未満であるときに、前記第２のパワー素子をオフさせる出力停止信号を出力する比較部とから構成されたモニター電圧監視回路ブロックと、前記電流―電圧変換部で変換された電圧が前記最小モニター電圧以上となるように前記レーザ用発光素子を発光させる動作電流を流す回路部とを備えていることを特徴とするレーザ駆動装置。  
【請求項２】
前記回路部は、前記レーザ用発光素子が発光するまでの間、前記レーザ駆動制御回路ブロックとともに動作することを特徴とする請求項１記載のレーザ駆動装置。
【請求項３】
前記回路部は、少なくとも前記第２のパワー素子に並列に接続され、前記動作電流をバイパスするバイパス回路からなることを特徴とする請求項１又は２記載のレーザ駆動装置。
【請求項４】
前記回路部は、電源投入から一定時間前記第２のパワー素子をオンする強制オン回路と前記第２のパワー素子とからなることを特徴とする請求項１記載のレーザ駆動装置。
【発明の詳細な説明】
【技術分野】
【０００１】
本発明は、半導体レーザの発光量を所定の値に保つレーザ駆動装置に関する。
【背景技術】
【０００２】
従来、この種のレーザーダイオード保護回路としては、光量検出用ダイオード１０１から得られるレーザダイオード１０２より出力された光ビームの光量に応じた検出信号により、レーザー出力制御回路１０３が、レーザーダイオード１０２に駆動電流を供給する駆動用トランジスター１０４の動作を制御することによって、レーザーダイオード１０２から出力される光ビームの光量を一定にするように構成された回路において、光量検出用ダイオード１０１からの前記検出信号が、例えば配線パターンの短絡やコネクタの接触不良が発生してレーザー出力制御回路１０３に入力されなくなったとき、制御トランジスター１０５を導通状態にさせることによって、レーザーダイオード１０２に駆動電流を供給する駆動用トランジスター１０４のバイアスを非導通方向へ変化させて、レーザーダイオード１０２に過大な電流が流れてレーザーダイオード１０２が破壊されることを防ぐものが提供されている（特許文献１）。
【特許文献１】特開平８−３３０６５６号公報（第１図）
【発明の開示】
【発明が解決しようとする課題】
【０００３】
上述のレーザーダイオード保護回路は、配線パターンの短絡やコネクタの接触不良等の事故が起きて、光量検出用ダイオード１０１から検出信号が得られない場合に、上述のように駆動用トランジスター１０４を非導通としてレーザーダイオード１０２の駆動電流の流れを遮断することで、レーザーダイオード１０２を駆動電流の過剰供給から保護する。
【０００４】
しかし、光量検出用ダイオード１０１から検出信号が得られない場合に、駆動電流の流れを遮断することとしたのでは、電源投入直後のレーザーダイオード１０２の発光前も、光量検出用ダイオード１０１から検出信号が得られないために、上記の保護回路の動作対象となる。
【０００５】
かかる場合に、上述の保護回路が動作すると、配線パターンの短絡やコレクタの接触不良等の事故が起きていないにもかかわらず、レーザーダイオード１０２の駆動電流の流れを遮断してしまい、レーザーダイオード１０２を発光させることができなくなる。
【０００６】
そのため、このようなレーザーダイオード保護回路は、電源投入時の初期動作において、上記のような誤動作をしないように動作設定されるが、この動作設定は複雑であるため、初期動作が不安定で、動作の確実性に欠けるという問題があった。
【０００７】
本発明は上述の点に鑑みて為されたもので、その目的は、電源投入時に確実に発光素子を動作でき、かつ、断線等が起きた場合に発光素子を保護することができるレーザ駆動装置を提供することである。
【課題を解決するための手段】
【０００８】
上記の課題を解決するために、請求項１の発明では、レーザ用発光素子、及びこのレーザ用発光素子の発光を受光して発光量に応じた電流を出力する受光素子とからなる半導体レーザブロックと、前記レーザ用発光素子と直列に接続され、前記レーザ用発光素子を発光させる動作電流を通電する第１のパワー素子、及び前記受光素子からの電流を電圧に変換する電流―電圧変換部、並びにこの電流―電圧変換部で変換された電圧と予め規定された基準電圧とが一致するように、前記第１のパワー素子を制御する制御信号を出力する光量制御素子部とから構成されたレーザ駆動制御回路ブロックと、前記第１のパワー素子と直列に接続され、前記第１のパワー素子を経た前記動作電流の通電をオン・オフする第２のパワー素子、及び前記電流―電圧変換部で変換された電圧と、前記受光素子から出力される電流の通電路が断線しているか否かの判断基準となる最小モニター電圧とを比較し、前記電流―電圧変換部で変換された電圧が前記最小モニター電圧未満であるときに、前記第２のパワー素子をオフさせる出力停止信号を出力する比較部とから構成されたモニター電圧監視回路ブロックと、前記電流―電圧変換部で変換された電圧が前記最小モニター電圧以上となるように前記レーザ用発光素子を発光させる動作電流を流す回路部とを備えていることを特徴とするレーザ駆動装置とした。
【０００９】
請求項１の発明によれば、レーザ用発光素子の発光量に応じて受光素子により得られる電流を電流―電圧変換部で変換して得られる電圧と、最小モニター電圧を比較して、前記電流―電圧変換部で変換された電圧が最小モニター電圧未満であるときに、前記レーザ用発光素子を発光させる動作電流の流れを遮断するモニター電圧監視回路ブロックを備えているので、断線などが生じた時に、光量制御素子部が前記レーザ用発光素子の発光量を大きくしようすることで生じる前記レーザ用発光素子の出力過大を防ぐことができる。また、前記電流―電圧変換部で変換された電圧が前記最小モニター電圧以上となるように前記レーザ用発光素子を発光させる動作電流を流す回路部を備えているので、電源をオンにした直後に、上述のモニター電圧監視回路ブロックの機能が作動してしまっても前記レーザ用発光素子を点灯できる。
【００１０】
請求項２の発明では、請求項１の発明の構成に加えて、前記回路部は、前記レーザ用発光素子が発光するまでの間、前記レーザ駆動制御回路ブロックとともに動作することを特徴とするレーザ駆動装置とした。
【００１１】
請求項２の発明によれば、電流―電圧変換部で変換された電圧が最小モニター電圧以上となるようにレーザ用発光素子を発光させる動作電流を流す回路部を、前記レーザ用発光素子が発光するまでの間、レーザ駆動制御回路ブロックとともに動作するようにしたので、上記の請求項１の発明の効果に加えて、省電力化を図ることができる。
【００１２】
請求項３の発明では、請求項１又は２の発明の構成に加えて、前記回路部は、少なくとも前記第２のパワー素子に並列に接続され、前記動作電流をバイパスするバイパス回路からなることを特徴とするレーザ駆動装置とした。
【００１３】
請求項３の発明によれば、電流―電圧変換部で変換された電圧が最小モニター電圧以上となるようにレーザ用発光素子を発光させる動作電流を流す回路部を、少なくとも前記第２のパワー素子に並列に接続し、前記動作電流をバイパスするバイパス回路とすることで、請求項１の発明の効果とほぼ同様の効果を奏することができる。
【００１４】
請求項４の発明では、請求項１の発明の構成に加えて、前記回路部は、電源投入から一定時間前記第２のパワー素子をオンする強制オン回路と前記第２のパワー素子とからなることを特徴とするレーザ駆動装置とした。
【００１５】
請求項４の発明によれば、電流―電圧変換部で変換された電圧が最小モニター電圧以上となるようにレーザ用発光素子を発光させる動作電流を流す回路部を、電源投入から一定時間、第２のパワー素子をオンする強制オン回路と前記第２のパワー素子とから構成したので、請求項１の発明の効果とほぼ同様の効果を奏することができる。
【発明の効果】
【００１６】
レーザ用発光素子の発光量に応じて受光素子により得られる電流を電流―電圧変換部で変換して得られる電圧と、最小モニター電圧を比較して、前記電流―電圧変換部で変換された電圧が最小モニター電圧未満であるときに、前記レーザ用発光素子を発光させる動作電流の流れを遮断するモニター電圧監視回路ブロックを備えているので、断線などが生じた時に、光量制御素子部が前記レーザ用発光素子の発光量を大きくしようすることで生じる前記レーザ用発光素子の出力過大を防ぐことができる。また、前記電流―電圧変換部で変換された電圧が前記最小モニター電圧以上となるように前記レーザ用発光素子を発光させる動作電流を流す回路部を備えているので、電源をオンにした直後に、上述のモニター電圧監視回路ブロックの機能が作動してしまっても前記レーザ用発光素子を点灯できる。
【発明を実施するための最良の形態】
【００１７】
本発明のレーザ駆動装置は、図１に示すように、主に、半導体レーザブロックＡと、第１のパワー素子１及び光量制御素子部２並びに電流―電圧変換部３からなるレーザ駆動制御回路ブロックＢと、第２のパワー素子４及び比較部５とからなるモニター電圧監視回路ブロックＣと、半導体レーザブロックＡを確実に動作させるための回路部（図示せず）とから構成してある。
【００１８】
半導体レーザブロックＡは、レーザ用発光素子、及びこのレーザ用発光素子の発光を受光して発光量に応じた電流を出力する受光素子とを有し、このレーザ用発光素子を発光させるとともに発光量を変化させる動作電流Ｉ１は、第１のパワー素子１及び第２のパワー素子４からなる直列回路に通電される。また、前記受光素子から出力される電流であるモニター電流Ｉ２は、電流―電圧変換部３により電圧に変換されてモニター電圧Ｖｍｏとされる。光量制御素子部２は、予め規定された基準電圧Ｖｓｔに上記のモニター電圧Ｖｍｏが一致するように、第１のパワー素子１を制御して動作電流Ｉ１の通電量を変化する制御信号Ｓ１を出力する。
【００１９】
このとき、比較部５は、モニター電流Ｉ２の通電路が断線しているか否かの判断基準として設定された最小モニター電圧Ｖｍｉｎと、モニター電圧Ｖｍｏとを比較し、モニター電圧Ｖｍｏが最小モニター電圧Ｖｍｉｎ未満であれば、第２のパワー素子４を制御して動作電流Ｉ１の通電を遮断する出力停止信号Ｓ２を出力する。以上により、モニター電流Ｉ２の通電路において断線が生じた場合、動作電流Ｉ１の通電路を遮断するという動作を示す。
【００２０】
これにより、モニター電流Ｉ２の通電路で断線し、モニター電圧Ｖｍｏが０になってしまった場合に、光量制御素子部２がモニター電圧Ｖｍｏを上昇させるために第１のパワー素子１に動作電流Ｉ１の通電量を増加させる指示をすることで、半導体レーザブロックＡから出力されるレーザが出力過多になってしまうという不具合を防止できる。
【００２１】
以下に、図２〜図８を用いて、上記レーザ駆動装置の各実施形態について説明する。
【００２２】
（実施形態１）
図２は、本発明の実施形態１のレーザ駆動装置の回路図を示している。半導体レーザブロックＡは、レーザ用発光素子であるレーザダイオード６と、受光素子であるフォトダイオード７とから構成され、レーザダイオード６のアノードとフォトダイオード７のカソードとをともに電源Ｖｃｃに接続されている。
【００２３】
レーザダイオード６のカソードは、ともにパワートランジスタからなる第１、第２のパワー素子１、４からなる直列回路を介してグランドに接続されている。この直列回路には、レーザダイオード６の動作電流Ｉ１をバイパスする抵抗Ｒ５からなるバイパス回路が形成されている。
【００２４】
フォトダイオード７のアノードは、電流―電圧変換部３を構成する抵抗Ｒ８を介してグランドに接続されている。また、フォトダイオード７と抵抗Ｒ８間は、オペアンプからなる光量制御素子部２の一方の入力部、及びコンパレータからなる比較部５の一方の入力部と接続されている。
【００２５】
光量制御素子部２の他方の入力部は、後述する基準電圧回路８の抵抗Ｒ３、Ｒ７間に接続され、光量制御素子部２の出力部は、抵抗Ｒ４を介して第１のパワー素子１のベースと接続されている。前記基準電圧回路８は、基準電源Ｖ０を可変抵抗ＶＲ、及び抵抗Ｒ３、Ｒ７からなる直列回路を介してグランドに接続することで形成され、可変抵抗ＶＲ、及び抵抗Ｒ３、Ｒ７を用いて基準電源Ｖ０を分圧することで、抵抗Ｒ３、Ｒ７間において基準電圧Ｖｓｔを生成している。
【００２６】
比較部５の他方の入力部は、電源Ｖｃｃをグランドに接続する抵抗Ｒ２、Ｒ６からなる直列回路の抵抗Ｒ２、Ｒ６間に接続され、比較部５の出力部は、電源Ｖｃｃを第２のパワー素子４のベースに接続する抵抗Ｒ１、Ｒ９からなる直列回路の抵抗Ｒ１、Ｒ９間に接続されている。また、抵抗Ｒ２、Ｒ６からなる直列回路は、電源Ｖｃｃを分圧し、抵抗Ｒ２、Ｒ６間に最小モニター電圧Ｖｍｉｎを生成している。
【００２７】
上記のように本実施形態のレーザ駆動装置は構成されており、以下、図３に示すタイミングチャートを用いてその動作について説明する。
【００２８】
電源Ｖｃｃがオンされると、レーザダイオード６を発光させる動作電流Ｉ１が流れはじめ、その電流値が図３（ａ）に示すように上昇し、やがてレーザダイオード６は発光する。フォトダイオード７は、この発光を受光して発光量に応じた電流であるモニター電流Ｉ２を出力する。出力されたモニター電流Ｉ２は、電流―電圧変換部３によりモニター電圧Ｖｍｏに変換されて、光量制御素子部２及び比較部５に入力される。
【００２９】
光量制御素子部２は、上述のように生成され予め規定された基準電圧Ｖｓｔとモニター電圧Ｖｍｏとが一致するように、第１のパワー素子１を通電する動作電流Ｉ１の通電量を制御する制御信号Ｓ１を出力し、制御信号Ｓ１を第１のパワー素子１のベースに通電する。やがて動作電流Ｉ１は図３（ａ）に示すようにやがて一定となり、これによりモニター電圧Ｖｍｏを図３（ｂ）に示すように予め規定された基準電圧Ｖｓｔと一致させることができる。
【００３０】
また、比較部５は、上述のように生成されモニター電流Ｉ２の通電路が断線しているか否かの判断基準となる最小モニター電圧Ｖｍｉｎとモニター電圧Ｖｍｏを比較し、モニター電圧Ｖｍｏが最小モニター電圧Ｖｍｉｎ未満となったときに、第２のパワー素子４上を通電している動作電流Ｉ１の流れを遮断すべく、図３（ｃ）に示すようなＬレベルの制御信号Ｓｃである出力停止信号Ｓ２を出力し、出力停止信号Ｓ２を第２のパワー素子４のベ−スに通電する。
【００３１】
この動作は、本来、後述するモニター電流Ｉ２の通電路に断線が生じた場合にのみ行なわれるべきであるが、電源Ｖｃｃ投入直後は、レーザダイオード６の発光量が少なく、図３（ｂ）に示す時刻ｔ１以前では、モニター電圧Ｖｍｏが最小モニター電圧Ｖｍｉｎを下回ってしまうため、図３（ｃ）に示す出力停止信号Ｓ２が出力されてしまう。これにより、第２のパワー素子４は動作電流Ｉ１の通電を遮断してしまい、そのため動作電流Ｉ１がレーザダイオード６を通電しなくなり、レーザダイオード６は発光することができなくなる。
【００３２】
そこで、本実施形態においては、上記回路部をレーザダイオード６に動作電流Ｉ１をバイパスするバイパス回路から構成し、上述のように接続してある。このバイパス回路に設けられている抵抗Ｒ５は、モニター電圧Ｖｍｏが少なくとも最小モニター電圧Ｖｍｉｎ以上となる動作電流Ｉ１が通電できる抵抗値に設定されている。そのため、上記のように比較部５から出力停止信号Ｓ２が出力されていても、レーザダイオード６を少なくとも最小モニター電圧Ｖｍｉｎ以上の発光量となるように発光させることができる。
【００３３】
本実施形態のレーザ駆動装置は、上述のように、特に異常がなければレーザ駆動制御回路ブロックＢにより、半導体レーザブロックＡから出力されるレーザの発光量を一定に保つという効果を奏する。
【００３４】
次に、上述のモニター電流Ｉ２の通電路が断線した場合の動作について図４に示すタイミングチャートを用いて説明する。図４（ａ）は動作電流Ｉ１のタイミングチャートを、（ｂ）はモニター電圧Ｖｍｏのタイミングチャートを、（ｃ）は比較部５から出力される制御信号Ｓｃのタイミングチャートを示している。また、図４に示す時刻ｔ２は断線が生じた時刻である。
【００３５】
断線が生じた時刻ｔ２より前では、図４（ｂ）に示すようにモニター電圧Ｖｍｏは最小モニター電圧Ｖｍｉｎを上回り、比較部５からは図４（ｃ）に示すＨレベルの制御信号Ｓｃが出力され、動作電流Ｉ１は、図４（ａ）に示すように光量制御素子部２により決められた値で流れている。この後、時刻ｔ２となると、断線が生じたために、図４（ｂ）に示すようにモニター電圧Ｖｍｏが急激に減少して最小モニター電圧Ｖｍｉｎを下回り、それに伴って比較部５からはＬレベルの制御信号Ｓｃである出力停止信号Ｓ２が出力され、この出力停止信号Ｓ２に従って第２のパワー素子４は動作電流Ｉ１の通電を遮断し、動作電流Ｉ１は上述のバイパス回路のみを通過することとなり、図４（ａ）に示すように減少することになる。
【００３６】
本実施形態によれば、レーザダイオード６から発光するレーザの発光量をフォトダイオード７でモニター電流Ｉ２として検出し、抵抗Ｒ８を用いてモニター電流Ｉ２をモニター電圧Ｖｍｏに変換し、このモニター電圧Ｖｍｏと最小モニター電圧Ｖｍｉｎとを比較してモニター電力Ｖｍｏが最小モニター電圧Ｖｍｉｎを下回ったときに、動作電流Ｉ１の流れを遮断して、レーザダイオード６の発光量を抵抗Ｒ５による非常に低い発光量まで低下させることができる。そのため、断線などが生じた時に、光量制御素子部２がレーザダイオード６の発光量を大きくしようすることで生じるレーザダイオード６の出力過大を防ぐことができる。
【００３７】
また、レーザダイオード６に、両パワー素子１、４からなる直列回路の他に抵抗Ｒ５を有するバイパス回路を接続したので、電源Ｖｃｃをオンにした直後に、上述のモニター電圧監視回路ブロックＣの機能が作動してしまってもレーザダイオード６を点灯できる。この場合、電源Ｖｃｃがオンであれば、レーザダイオード６は常に点灯することとなるが、抵抗Ｒ５はレーザダイオード６に最小モニター電圧Ｖｍｉｎを上回る程度の動作電流Ｉ１しか流れないように抵抗値を設定してあるため、レーザダイオード６は非常に低い光量で点灯することになる。そのため、上述のレーザ駆動回路制御ブロックＢの動作にはほとんど影響しない。
【００３８】
（実施形態２）
上述の実施形態１においては、抵抗Ｒ５を、レーザダイオード６と接続される両パワー素子１、４からなる直列回路に並行するバイパス回路上に配設したが、本実施形態では、図５に示すように、第２のパワー素子４にのみ並行するバイパス回路上に配設したことに特徴があり、その他の構成は上述の実施形態１と同様なので説明を省略する。
【００３９】
ここで、第２のパワー素子４が、出力停止信号Ｓ２により動作電流Ｉ１の流れを遮断している状態のときの動作電流Ｉ１と基準電圧Ｖｓｔの関係について図６を用いて説明する。図６（ａ）は、基準電圧Ｖｓｔのタイミングチャートであり、図６（ｂ）は動作電流Ｉ１のタイミングチャートである。
【００４０】
動作電流Ｉ１と基準電圧Ｖｓｔは、例えば図６に示す時刻ｔ３で基準電源Ｖ０がオフすると共に減少しはじめ、時刻ｔ４で共に０となる。時刻ｔ４において基準電源Ｖ０をオンすると、動作電流Ｉ１と基準電圧Ｖｓｔは共に増加しはじめ、時刻ｔ５において減少前の値に戻るという挙動を示す。すなわち、基準電源Ｖ０をオフして基準電圧Ｖｓｔを０Ｖにすることで第１のパワー素子１をオフ状態することができる。これにより動作電流Ｉ１の通電を遮断することができる。
【００４１】
本実施形態によれば、上述の実施形態１の効果に加えて次の効果を奏することができる。すなわち、上述の実施形態１において、抵抗Ｒ５を有するバイパス回路を両パワー素子１、４に並行してレーザダイオード６に接続しているため、電源Ｖｃｃがオンであれば常に点灯していたレーザダイオード６を、本実施形態では、抵抗Ｒ５を有するバイパス回路を第２のパワー素子４にのみ並行してレーザダイオード６に接続しているので、上述のように基準電圧Ｖｓｔを０Ｖにして第１のパワー素子１をオフ状態とすることで、レーザダイオード６に動作電流Ｉ１の流れを遮断してレーザダイオード６を消灯でき、消費電流を抑えることができる。これにより、電源Ｖｃｃをオンするとともにレーザダイオード６を点灯させることができるだけでなく、電源Ｖｃｃをオンした後に、点灯させずに消灯して待機状態としたレーザダイオード６を任意に点灯させることができる。
【００４２】
（実施形態３）
本実施形態では、上述の実施形態１に記載の抵抗Ｒ５を有するバイパス回路の代わりに、図７に示すように、コンデンサ１０及び抵抗Ｒ５からなる時定数回路で構成された強制オン回路９を電源Ｖｃｃと第２のパワー素子４のベースとの間に接続し、この強制オン回路９及び第２のパワー素子４とで、モニター電圧Ｖｍｏが最小モニター電圧Ｖｍｉｎ以上となるようにレーザダイオード６を発光させる動作電流Ｉ１を流す回路部を構成している。その他の構成については、上述の実施形態１とほぼ同様なので説明を省略する。
【００４３】
次に図８を用いて、本実施形態のレーザ駆動装置の動作について説明する。図８（ａ）は第２のパワー素子４のベースに与えられるベース電圧Ｖｂのタイミングチャート、（ｂ）はモニター電圧Ｖｍｏのタイミングチャート、（ｃ）は比較部５から出力される制御信号Ｓｃのタイミングチャートを示している。
【００４４】
電源Ｖｃｃがオンにされた直後において、図８（ｂ）に示すように、モニター電圧Ｖｍｏは最小モニター電圧Ｖｍｉｎを下回っているため、制御信号Ｓｃは図８（ｃ）に示すようにＬレベルである。そのため、上述の実施形態１では第２のパワー素子４は、ベースに電圧が印加されずオフ状態となるが、本実施形態では、強制オン回路９を設けたために電源Ｖｃｃからの電圧が第２のパワー素子４のベースに印加されることとなり、図８（ａ）に示すように、ベース電圧Ｖｂは上昇し、動作電流Ｉ１を通電できる。このようにしてレーザダイオード６は点灯し、やがて図８（ｂ）に示すように、時刻ｔ６においてモニター電圧Ｖｍｏが最小モニター電圧Ｖｍｉｎを上回り、時刻ｔ７で制御信号Ｓｃは、図８（ｃ）に示すようにＨレベルとなり、第２のパワー素子４をオン状態に保持するようになる。また、ベース電圧Ｖｂは時刻ｔ６直前でピークを示した後、時刻ｔ７になるまでの間、図８（ａ）に示すように減少しているが、これは強制オン回路９に備えられたコンデンサ１０が充電されていくからである。
【００４５】
本実施形態によれば、比較部５からＬレベルの制御信号Ｓｃである出力停止信号Ｓ２が出力されていても、電源Ｖｃｃ投入から一定時間に亘り第２のパワー素子４をオンする強制オン回路９を設けたので、上述の実施形態１及び２とほぼ同様の効果を奏することができる。
【図面の簡単な説明】
【００４６】
【図１】本発明のレーザ駆動装置のブロック図である。
【図２】本発明の実施形態１のレーザ駆動装置の回路図である。
【図３】（ａ）は、動作電流Ｉ１のタイミングチャートであり、（ｂ）は、モニター電圧Ｖｍｏのタイミングチャートであり、（ｃ）は、制御信号Ｓｃのタイミングチャートである。
【図４】（ａ）は、動作電流Ｉ１のタイミングチャートであり、（ｂ）は、モニター電圧Ｖｍｏのタイミングチャートであり、（ｃ）は、制御信号Ｓｃのタイミングチャートである。
【図５】本発明の実施形態２のレーザ駆動装置の回路図である。
【図６】（ａ）は、基準電圧Ｖｓｔのタイミングチャートであり、（ｂ）は動作電流Ｉ１のタイミングチャートである。
【図７】本発明の実施形態３のレーザ駆動装置の回路図である。
【図８】（ａ）は、第２のパワー素子のベース電圧Ｖｂのタイミングチャートであり、（ｂ）は、モニター電圧Ｖｍｏのタイミングチャートであり、（ｃ）は、制御信号Ｓｃのタイミングチャートである。
【図９】従来のレーザー駆動装置の回路図である。
【符号の説明】
【００４７】
１  第１のパワー素子
２  光量制御素子部
３  電流―電圧変換部
４  第２のパワー素子
５  比較部
Ａ  半導体レーザブロック
Ｂ  レーザ駆動制御回路ブロック
Ｃ  モニター電圧監視回路ブロック
Ｉ１  動作電流
Ｉ２  モニター電流
Ｓ１  制御信号
Ｓ２  出力停止信号
Ｖｓｔ  基準電圧
Ｖｍｏ  モニター電圧
Ｖｍｉｎ  最小モニター電圧
【図１】
2005142449.tif 000003
【図２】
2005142449.tif 000004
【図３】
2005142449.tif 000005
【図４】
2005142449.tif 000006
【図５】
2005142449.tif 000007
【図６】
2005142449.tif 000008
【図７】
2005142449.tif 000009
【図８】
2005142449.tif 000010
【図９】
2005142449.tif 000011